(57)【要約】【課題】装置構成が簡単で製造コストの低減を図りつつ、噴出孔から噴出される圧縮空気を確実に筒状フィルタ内に導入し筒状フィルタに付着した塵埃をより効率よく清掃する。【解決手段】集塵装置であって、フィルタ機構は所定のフィルタ配設方向に沿って並列配置される筒状フィルタ５を備え、噴出機構は、開閉弁を介して圧縮空気源に接続される基端部１４Ａ側から閉塞させた先端部１４Ｂ側に向けてフィルタ配設方向に沿う状態で延出する筒状の通流管部１４を備え、通流管部１４の管壁に複数の筒状フィルタ５の夫々の開口部５ａに夫々が対応する複数の噴出孔１６を並列配設して備え、開口部５ａの中心点である開口部中心位置Ｋに対して、開口部５ａを含む開口面Ｍに対する噴出孔１６の軸芯Ｙの到達点である噴出孔軸芯到達位置Ｅの基端部１４Ａ側への変位量ΔＰｉが、基端部１４Ａ側に近いほど大きくなるように、開口部５ａ及び噴出孔１６の夫々が配置される。【選択図】図３
2011255362.tif 000002
【特許請求の範囲】
【請求項１】
区画壁により内部が含塵空気導入室と浄化空気室とに区画された筐体と、
前記区画壁に設けられ、前記筐体の内部に前記含塵空気導入室側から前記浄化空気室側に通流する含塵空気中に含まれる塵埃を捕集するフィルタ機構と、
前記浄化空気室側から前記フィルタ機構を介して前記含塵空気導入室側に圧縮空気をパルス状に噴出させて、前記フィルタ機構に捕集された塵埃を清掃する噴出機構とを備えた集塵装置であって、
前記フィルタ機構は、複数の有底筒状の筒状フィルタを所定のフィルタ配設方向に沿って並列配置して構成され、
前記噴出機構は、開閉弁を介して圧縮空気源に接続される基端部側から閉塞させた先端部側に向けて前記フィルタ配設方向に沿う状態で延出して形成された筒状の通流管部を備えるとともに、前記通流管部の管壁に前記複数の筒状フィルタの夫々の開口部に夫々が対応する複数の噴出孔を並列配置して構成され、
前記開口部の中心点である開口部中心位置に対して、前記開口部を含む開口面に対する前記噴出孔の軸芯の到達点である噴出孔軸芯到達位置の前記基端部側への変位量が、前記基端部側に近いほど大きくなるように、前記開口部及び噴出孔の夫々が配置されている集塵装置。
【請求項２】
前記先端部側からｉ番目の前記開口部及び前記噴出孔における前記変位量をΔＰｉ、前記複数の筒状フィルタの数をＮ、前記筒状フィルタの直径をＤ、最も基端部側の前記開口部及び前記噴出孔において前記噴出孔軸芯到達位置を前記開口部中心位置に一致させた場合に、当該噴出孔から噴出された圧縮空気が当該開口部を含む開口面に到達する到達点の当該開口部中心位置に対する前記先端部側へのずれ量をＡとして、
ΔＰｉ＝（ｉ−１）×Ａ／（Ｎ−１）±Ｒ
０≦Ｒ≦（Ｄ／２）の関係を満たすように、前記開口部及び前記噴出孔の夫々が配置されている請求項１に記載の集塵装置。
【請求項３】
前記複数の筒状フィルタが、筒軸芯が互いに等間隔に且つ平行になるよう並列配置されているとともに、前記複数の噴出孔が、軸芯が互いに等間隔に且つ平行になるように並列配置されている請求項１又は２に記載の集塵装置。
【請求項４】
最も先端部側の前記開口部及び前記噴出孔において前記噴出孔軸芯到達位置と前記開口部中心位置とを一致させるとともに、
複数の前記噴出孔軸芯到達位置の配置間隔を、複数の前記開口部中心位置の配置間隔よりも大きく設定して、前記変位量を前記基端部側に近いほど大きくする請求項３に記載の集塵装置。
【発明の詳細な説明】
【技術分野】
【０００１】
本発明は、区画壁により内部が含塵空気導入室と浄化空気室とに区画された筐体と、区画壁に設けられ、筐体の内部に含塵空気導入室側から浄化空気室側に通流する含塵空気中に含まれる塵埃を捕集するフィルタ機構と、浄化空気室側からフィルタ機構を介して含塵空気導入室側に圧縮空気をパルス状に噴出させて、フィルタ機構に捕集された塵埃を清掃する噴出機構とを備えた集塵装置に関する。
【背景技術】
【０００２】
上記集塵装置は、筐体内において含塵空気導入室側から浄化空気室側に通流する含塵空気中に含まれる塵埃をフィルタ機構にて捕集して、焼却炉や破砕設備等から供給される含塵空気を浄化する装置である。また、フィルタ機構に捕集され付着した塵埃を、浄化空気室側からフィルタ機構を介して含塵空気導入室側に圧縮空気を噴出させることにより払い落として、清掃することができるように構成されている（例えば、特許文献１参照）。
【０００３】
例えば、特許文献１に記載の集塵装置においては、フィルタ機構がかご型形状の支持体に被せられたバグフィルタ（濾布）を備えて構成されている。バグフィルタの開口部に対向する位置には、圧縮空気を噴出する噴出孔が配設されており、その噴出孔と開口部との間には、噴出孔から噴出した圧縮空気を開口部に導くベンチュリ管が設けられている。この噴出孔は圧縮空気を通流可能な筒状のブローチューブの外周面に開口形成されている。
【０００４】
これにより、特許文献１に記載の集塵装置において、バグフィルタの清掃時には、圧縮空気を、浄化空気室側に配置された噴出孔からベンチュリ管を介してバグフィルタ内に送り込むことができる。この場合、噴出孔から噴出された圧縮空気の殆んど全てをベンチュリ管の誘導によりバグフィルタ内に無駄なく送り込むことができ、圧縮空気が干渉することもなく、バグフィルタに付着した塵埃を払い落として清掃できるとされている。また、噴出孔から噴出された圧縮空気がベンチュリ管の先端部開口をシール状態で完全に閉塞できるため、バグフィルタ内からの圧縮空気の逆流を防止できるとされている。
【０００５】
さらに、上記特許文献１に記載の集塵装置において、ブローチューブには、各バグフィルタ（有底筒状の筒状フィルタ）の筒軸芯方向に貫通形成された各噴出孔が、各バグフィルタに対向する位置、すなわち、各噴出孔の軸芯が各バグフィルタの開口部の中心を通過するように形成されている。
【先行技術文献】
【特許文献】
【０００６】
【特許文献１】特開平８−５７２３２号公報
【発明の概要】
【発明が解決しようとする課題】
【０００７】
ここで、圧縮空気をブローチューブ内に供給する際には、当該圧縮空気は、ブローチューブ内において基端部側から先端部側に向けて非常に高速（例えば、音速程度）で通流するので、噴出孔から噴出する圧縮空気の速度ベクトルには、筒状フィルタの開口部の中心に向かう速度成分のみならず、ブローチューブの先端部側へ向かう速度成分をも含むものになる。従って、噴出孔から噴出された圧縮空気が、筒状フィルタの開口部よりも、ブローチューブの先端部側にずれた位置に噴出されてしまうことがある。このような状況は、特に、圧縮空気の供給源に近いブローチューブの基端部側の噴出孔において顕著となっていた。
この場合、供給源から供給された圧縮空気が、その量及び速度等が同様の条件で供給された場合であっても、噴出された圧縮空気が筒状フィルタ内に適切に導入されなくなり、筒状フィルタの外側に付着した塵埃の払い落とし能力が低下してしまう。
【０００８】
また、上記特許文献１に記載の集塵装置において、圧縮空気を筒状フィルタ内へ確実に送り込むため、ブローチューブの噴出孔に、当該噴出孔から噴出する圧縮空気を筒状フィルタの開口部に導く噴出ノズルを設ける構成を採用することも考えられる。しかしながら、多数配置される各筒状フィルタに対向して配置される各噴出孔の全てに、噴出ノズルを配設する場合には、装置構成が複雑となるとともに製造コストが余計に必要となる。
【０００９】
本発明は、かかる実情に鑑みてなされたものであり、その目的は、装置構成が簡単で製造コストの低減を図ることができながら、噴出孔から噴出される圧縮空気を確実に筒状フィルタ内に導入して、筒状フィルタに付着した塵埃をより効率よく清掃することができる集塵装置を提供することにある。
【課題を解決するための手段】
【００１０】
上記目的を達成するための本発明に係る集塵装置は、区画壁により内部が含塵空気導入室と浄化空気室とに区画された筐体と、前記区画壁に設けられ、前記筐体の内部に前記含塵空気導入室側から前記浄化空気室側に通流する含塵空気中に含まれる塵埃を捕集するフィルタ機構と、前記浄化空気室側から前記フィルタ機構を介して前記含塵空気導入室側に圧縮空気をパルス状に噴出させて、前記フィルタ機構に捕集された塵埃を清掃する噴出機構とを備えた集塵装置であって、その特徴構成は、
前記フィルタ機構は、複数の有底筒状の筒状フィルタを所定のフィルタ配設方向に沿って並列配置して構成され、
前記噴出機構は、開閉弁を介して圧縮空気源に接続される基端部側から閉塞させた先端部側に向けて前記フィルタ配設方向に沿う状態で延出して形成された筒状の通流管部を備えるとともに、前記通流管部の管壁に前記複数の筒状フィルタの夫々の開口部に夫々が対応する複数の噴出孔を並列配置して構成され、
前記開口部の中心点である開口部中心位置に対して、前記開口部を含む開口面に対する前記噴出孔の軸芯の到達点である噴出孔軸芯到達位置の前記基端部側への変位量が、前記基端部側に近いほど大きくなるように、前記開口部及び噴出孔の夫々が配置されている点にある。
【００１１】
本特徴構成によれば、対応する筒状フィルタの開口部及び噴出孔のフィルタ配設方向における配置位置に関し、筒状フィルタの開口部の中心点である開口部中心位置に対して、開口部を含む開口面に対する噴出孔の軸芯の到達点（噴出孔の軸芯を延長した場合に、当該軸芯が筒状フィルタの開口面に到達した箇所）である噴出孔軸芯到達位置の基端部側への変位量が、基端部側に近いほど大きくなるように、開口部及び噴出孔の夫々の配置位置が設定される。これにより、圧縮空気が通流管部内を通流して各噴出孔から噴出され、当該圧縮空気が筒状フィルタの開口面に到達する位置が、当該筒状フィルタの開口部中心位置より先端部側にずれてしまう場合であっても、当該先端部側へのずれ量を相殺するように、筒状フィルタの開口部中心位置に対する噴出孔の噴出孔軸芯到達位置の基端部側への変位量を適切に設定することができる。よって、噴出された圧縮空気のより多くの部分を筒状フィルタ内に確実に導入することができ、筒状フィルタの外側に付着した塵埃を確実に払い落とすことができる。
【００１２】
具体的に説明すると、上記集塵装置においては、複数の筒状フィルタが、所定のフィルタ配設方向に沿って並列配置され、また、圧縮空気を通流させる筒状の通流管部が、開閉弁を介して圧縮空気源に接続される基端部側から閉塞端である先端部側に向けてフィルタ配設方向に沿う状態で延出して形成されている。通流管部の管壁には、複数の筒状フィルタの夫々の開口部に夫々が対応する状態で複数の噴出孔が並列配置され、各噴出孔は各筒状フィルタの開口部に対向する箇所に配置されている。この場合、圧縮空気を通流管部内に供給する際には、当該圧縮空気は、通流管部内において基端部側から先端部側に向けて非常に高速（例えば、音速程度）で通流するため、圧縮空気の速度ベクトルが、筒状フィルタの開口部の中心点に向かう速度成分のみならず、通流管部の先端部側へ向かう速度成分をも含んだままの状態で、各噴出孔から噴出される。この各噴出孔から噴出される圧縮空気における先端部側へ向かう速度成分は、通流管部内を基端部側から先端部側へ向かって通流することで、次第に弱まっていく。すなわち、フィルタ配設方向において基端部側の噴出孔から噴出される圧縮空気ほど先端部側への速度成分が維持されたままとなるので、当該噴出された圧縮空気が筒状フィルタの開口面に到達する到達点が、筒状フィルタの開口部中心位置に対して先端部側へずれるずれ量は、基端部側の噴出孔から噴出される圧縮空気ほど大きくなる。
そこで、上記集塵装置においては、上述のとおり、圧縮空気を噴出する噴出孔の軸芯の到達点である噴出孔軸芯到達位置が、対応する筒状フィルタの開口部の中心点である開口部中心位置よりもフィルタ配設方向の基端部側に所定の変位量だけ変位する箇所に配設され、しかも、その変位量が基端部側に近いほど大きくなるように、筒状フィルタの開口部及び噴出孔の配設位置が設定されている。
結果、圧縮空気の速度ベクトルが通流管部の先端部側への速度成分を含んでいる場合でも、その速度成分により当該圧縮空気が先端部側にずれるずれ量を相殺するように、筒状フィルタの開口部中心位置と噴出孔の噴出孔軸芯到達位置とのフィルタ配設方向における変位量が適切に設定されるので、圧縮空気のより多くの部分を筒状フィルタ内に確実に導入することができる。
【００１３】
また、上記集塵装置では、噴出孔を通流管部の管壁に形成する構成であるとともに、各噴出孔と筒状フィルタの開口部との相対位置関係をフィルタ配設方向において適切な位置に設定するだけの構成でよいので、非常に簡単な構成であり、製造コストの低減も図ることができる。
【００１４】
よって、装置構成が簡単で製造コストの低減を図ることができながら、噴出孔から噴出される圧縮空気を確実に筒状フィルタ内に噴出させて、筒状フィルタに付着した塵埃をより効率よく清掃することができる。
【００１５】
本発明に係る集塵装置の更なる特徴構成は、前記先端部側からｉ番目の前記開口部及び前記噴出孔における前記変位量をΔＰｉ、前記複数の筒状フィルタの数をＮ、前記筒状フィルタの直径をＤ、最も基端部側の前記開口部及び前記噴出孔において前記噴出孔軸芯到達位置を前記開口部中心位置に一致させた場合に、当該噴出孔から噴出された圧縮空気が当該開口部を含む開口面に到達する到達点の当該開口部中心位置に対する前記先端部側へのずれ量をＡとして、
ΔＰｉ＝（ｉ−１）×Ａ／（Ｎ−１）±Ｒ
０≦Ｒ≦（Ｄ／２）の関係を満たすように、前記開口部及び前記噴出孔の夫々が配置されている点にある。
【００１６】
本特徴構成によれば、噴出孔の噴出孔軸芯到達位置を筒状フィルタの開口部中心位置に対してフィルタ配設方向の基端部側に変位させる変位量を、先端部側に位置する特定の開口部及び噴出孔から基端部側に位置する開口部及び噴出孔のそれぞれについて、所定の基準に基づいて設定することができるので、筒状フィルタの開口部及び噴出孔の配置位置を適切に設定することができる。
具体的には、フィルタ配設方向において先端部側に位置する特定の開口部及び噴出孔から基端部側に位置する開口部及び噴出孔を順序付けする場合の任意の順位をｉ、先端部側からｉ番目の開口部及び噴出孔における変位量をΔＰｉとして、
ΔＰｉ＝（ｉ−１）×Ａ／（Ｎ−１）±Ｒ
０≦Ｒ≦（Ｄ／２）の関係を満たすように、前記開口部及び前記噴出孔の夫々が配置される。
従って、対応する開口部及び噴出孔の変位量ΔＰｉを、フィルタ配設方向における順位ｉ（位置）に応じて各別に設定でき、基本的に、先端部側から基端部側の順に、（Ａ／（Ｎ−１））だけ順次大きくなるように設定できる。この際、ずれ量Ａは、最も基端部側の開口部及び噴出孔において噴出孔軸芯到達位置を開口部中心位置に一致させた場合に、当該噴出孔から噴出された圧縮空気が当該開口部を含む開口面に到達する到達点の当該開口部中心位置に対する先端部側へのずれ量である。このずれ量Ａは、噴出孔から噴出される圧縮空気の速度ベクトルのうち先端部側へ向かう速度成分を代表するものであるので、このずれ量Ａを用いることで、当該速度成分によって圧縮空気が筒状フィルタの開口面に到達する到達点が、当該筒状フィルタの開口部中心位置から先端部側へずれるずれ量を相殺するように、変位量ΔＰｉを設定することができる。よって、所定の条件（圧力、速度、量等）で噴出孔から噴出される圧縮空気に対応した変位量ΔＰｉを設定することができる。なお、ずれ量Ａとしては、予め計測しておいたずれ量を用いてもよいし、経験的に判明しているずれ量を用いてもよいが、例えば、このずれ量Ａは、筒状フィルタの直径Ｄ等、適当な大きさに設定しても構わない。
また、変位量ΔＰｉは、（ｉ−１）×Ａ／（Ｎ−１）を基準として、フィルタ配設方向において筒状フィルタの半径Ｒ（±Ｄ／２）だけずれた範囲内に収まるように設定できるので、変位量ΔＰｉにある程度自由度をもたせながらも、噴出される圧縮空気を筒状フィルタ内に確実に導入する構成とすることができる。
【００１７】
本発明に係る集塵装置の更なる特徴構成は、前記複数の筒状フィルタが、筒軸芯が互いに等間隔に且つ平行になるよう並列配置されているとともに、前記複数の噴出孔が、軸芯が互いに等間隔に且つ平行になるように並列配置されている点にある。
【００１８】
本特徴構成によれば、複数の筒状フィルタの筒軸芯を互いに等間隔で平行に、かつ複数の噴出孔の軸芯を互いに等間隔で平行に配置して、筒状フィルタの開口部中心位置（筒軸芯）に対する噴出孔の噴出孔軸芯到達位置（軸芯）の基端部側への変位量を、基端部側に近いほど大きくなるように構成することができる。これにより、筒状フィルタの開口部及び噴出孔の配置を簡便な構成で実現して装置の改変を最小限に留めながら、噴出孔から噴出した圧縮空気を確実に筒状フィルタ内に導入する構成とすることができる。
【００１９】
本発明に係る集塵装置の更なる特徴構成は、最も先端部側の前記開口部及び前記噴出孔において前記噴出孔軸芯到達位置と前記開口部中心位置とを一致させるとともに、
複数の前記噴出孔軸芯到達位置の配置間隔を、複数の前記開口部中心位置の配置間隔よりも大きく設定して、前記変位量を前記基端部側に近いほど大きくする点にある。
【００２０】
本特徴構成によれば、最も先端部側の開口部及び噴出孔において噴出孔軸芯到達位置と開口部中心位置とを一致させた状態で、複数の筒状フィルタの筒軸芯を互いに等間隔で平行に、かつ複数の噴出孔の軸芯を互いに等間隔で平行に配置され、夫々の噴出孔軸芯到達位置の配置間隔が夫々の開口部中心位置の配置間隔よりも大きく設定される。これにより、最も先端部側から最も基端部側に至る全ての開口部及び噴出孔について、上記変位量を基端部側に近いほど大きくなるように構成することができる。また、そのための構成についても、筒状フィルタの開口部及び噴出孔の配置を変更するだけの簡便な構成とすることができ、装置の改変を最小限に留めながら、噴出孔から噴出した圧縮空気をより確実に筒状フィルタ内に導入する構成とすることができる。
【図面の簡単な説明】
【００２１】
【図１】本発明の集塵装置の概略側断面視図
【図２】本発明の集塵装置の概略上面視図
【図３】噴出孔近傍の拡大側断面視図
【図４】本発明の集塵装置における圧縮空気の噴出状態を示すシミュレーション結果
【図５】本発明の集塵装置における圧縮空気の噴出状態を示すシミュレーション結果
【図６】従来の集塵装置における噴出孔近傍の拡大側断面視図
【図７】従来の集塵装置における圧縮空気の噴出状態を示すシミュレーション結果
【図８】従来の集塵装置における圧縮空気の噴出状態を示すシミュレーション結果
【発明を実施するための形態】
【００２２】
以下、本発明に係る集塵装置Ｂの実施形態について、図面を参照して以下に説明する。
図１及び図２に示すように、集塵装置Ｂは、区画壁４により内部が含塵空気導入室２と浄化空気室３とに区画された筐体１と、区画壁４に設けられ、筐体１の内部に含塵空気導入室２側から浄化空気室３側に通流する含塵空気Ｇ中に含まれる塵埃を捕集する複数の筒状フィルタ５（フィルタ機構の一例）と、浄化空気室３側から筒状フィルタ５を介して含塵空気導入室２側に圧縮空気Ｈをパルス状に噴出させて、筒状フィルタ５に捕集された塵埃を清掃する噴出機構６とを備えて構成されている。また、集塵装置Ｂは、筒状フィルタ５の内側と外側との圧力差を検出する圧力差検出部（図示せず）と、噴出機構６の作動等の集塵装置Ｂの運転を制御する制御部（図示せず）等を備えて構成されている。
【００２３】
筐体１は、内部が上下方向で区画壁４により区画され、下部に含塵空気Ｇが通流する含塵空気導入室２、上部に区画壁４に設けられた筒状フィルタ５により浄化された浄化空気Ｃが通流する浄化空気室３が形成されている。筐体１は、含塵空気導入室２における筒状フィルタ５が配置される箇所及び浄化空気室３が形成される箇所における外形が上面視概略矩形に形成され、含塵空気導入室２における筒状フィルタ５が配置される箇所の下側の外形が漏斗形状に形成されている。そして、筐体１の漏斗形状に形成された上端箇所には焼却炉等（図示せず）からの含塵空気Ｇを含塵空気導入室２内に導入する含塵空気導入路７が形成されており、筐体１の矩形に形成された上部箇所には、筒状フィルタ５により浄化された浄化空気Ｃを浄化空気室３から排出する浄化空気排出路８が形成されている。この浄化空気排出路８の下流側には吸引装置（図示せず）が設けられ、浄化空気室３内の浄化空気Ｃを外部空間に吸引することができるように構成されている。なお、筐体１の漏斗形状に形成された箇所の下端部には、ロータリーバルブが設けられた排出口９が形成され、後述する筒状フィルタ５の清掃等により生じた含塵空気導入室２内の塵埃等を排出できるように構成されている。
したがって、焼却炉等（図示せず）で発生した含塵空気Ｇは、吸引装置（図示せず）の吸引力により含塵空気導入路７を介して含塵空気導入室２内に導入され、筒状フィルタ５により塵埃が捕集されて浄化空気Ｃとなって、浄化空気室３内から浄化空気排出路８を介して、集塵装置Ｂの下流側に接続された外部空間に排出される。
【００２４】
筒状フィルタ５は、詳細な図示は省略するが、有底のかご形状（例えば、複数の直線棒状体を、環状に形成された複数のリング状枠体に取り付けた有底筒状のかご形状）に形成された支持体（図示せず）の外側に、含塵空気Ｇを通流可能に構成された袋状（有底筒状）のバグ（図示せず）が被せられたバグフィルタとして構成されている。バグは、含塵空気Ｇ中の塵埃を良好に捕集できる濾布により構成され、例えば、内側が布で当該布の外側に貼り付けた不織布により形成される基布、或いは不織布や織布等により構成される。また、濾布の素材は、合成繊維やガラス繊維等から成る。バグの下部は袋状で、上部は開口を備えて構成され、バグの上端部が支持体と区画壁４との間に挟持されて固定されている。
そして、筒状フィルタ５は、図１から図３に示すように、上端部に開口部５ａが形成された状態で、区画壁４に垂下状態で取り付けられる。複数の有底筒状の筒状フィルタ５は、各筒状フィルタ５の筒軸芯Ｘ（図１の上下方向）がフィルタ配設方向（図１の左右方向）に直交する形態で、各筒軸芯Ｘ同士が平行となるように、フィルタ配設方向に沿って並列される配置関係で設けられている。なお、本実施形態では、フィルタ配設方向に沿う方向に１６個、フィルタ配設方向に直交する方向（図１の紙面奥行き方向）に１６個をそれぞれ配列させた状態で２５６個の筒状フィルタ５を設けているが、その配列箇所、配列数、バグの形状等については、塵埃の処理量等との関係で適宜変更することが可能である。
【００２５】
噴出機構６は、圧縮空気Ｈを貯留するヘッダパイプ１３（圧縮空気源の一例）と、空気開閉弁（開閉弁の一例）１２を介してヘッダパイプ１３に接続される基端部１４Ａ側から先端部１４Ｂ側に向けてフィルタ配設方向に沿う状態で延出して形成された筒状の通流管部１４と、通流管部１４の管壁に筒軸芯Ｘと平行な方向に貫通形成され、通流管部１４内を通流する圧縮空気Ｈを噴出させる複数の噴出孔１６とを備えて構成されている。そして、噴出機構６は、各筒状フィルタ５の内側に圧縮空気Ｈをパルス状に噴出することができるように構成されている。
【００２６】
ヘッダパイプ１３は、コンプレッサ等（図示せず）からの圧縮空気Ｈを、圧縮空気供給路１０に設けられた圧力調整弁１１を介して圧力調整した上で、内部空間に貯留することができるように構成されている。ヘッダパイプ１３内に貯留される圧縮空気Ｈの圧力及び空気量は、噴出することが必要な圧縮空気Ｈの圧力や空気量に応じて適宜設定することができるが、例えば、ヘッダパイプ１３内の圧力を約２ｋｇ／ｃｍ２、容量を０．４ｍ３に設定することができる。
【００２７】
通流管部１４は、上述のとおり、フィルタ配設方向に延びる筒状に構成され、基端部１４Ａ側は空気開閉弁１２を介してヘッダパイプ１３と連通され、先端部１４Ｂ側は閉塞されている。これにより、通流管部１４は、ヘッダパイプ１３内に貯留された圧縮空気Ｈを、ヘッダパイプ１３に設けられた空気開閉弁１２を介して、基端部１４Ａ側から先端部１４Ｂ側に向けて通流できるように構成されている。なお、空気開閉弁１２の開閉は、各空気開閉弁１２にそれぞれ対応して設けられた作動部１５により制御可能に構成されている。
【００２８】
噴出孔１６は、通流管部１４の管壁に筒状フィルタ５の筒軸芯Ｘと平行な方向である軸芯Ｙ方向に貫通して形成され、平面視で概略円形の孔とされている。噴出孔１６は、各筒状フィルタ５の開口部５ａに一対一で対応するように、筒状フィルタ５の筒軸芯Ｘと平行な方向で当該筒状フィルタ５に対向する箇所（筒状フィルタ５の上部）に、各軸芯Ｙ同士が平行となるように配置され、対応する各筒状フィルタ５の内側に圧縮空気Ｈを噴出できるように構成されている。噴出孔１６には、噴出される圧縮空気Ｈの噴出方向を案内する噴出ノズル等は設けられていない。なお、噴出孔１６及び筒状フィルタ５の配置関係についての詳細は後述する。
【００２９】
本実施形態では、空気開閉弁１２は１６個配設されており、各空気開閉弁１２にそれぞれ対応するように１６本の通流管部１４が配設されている。一つの通流管部１４には、フィルタ配設方向に沿って１６個の筒状フィルタ５が並列に配置されている。また、各筒状フィルタ５に対向する箇所には各噴出孔１６が配設されている。
従って、制御部により各作動部１５が制御されて、当該各作動部１５に対応する各空気開閉弁１２の開閉が設定された開閉状態となるように制御されることにより、ヘッダパイプ１３内に貯留された圧縮空気Ｈは、各噴出孔１６を介して各筒状フィルタ５の内側にパルス状に噴出可能とされている。この際、一つの通流管部１４においては、圧縮空気Ｈが基端部１４Ａ側から先端部１４Ｂ側に通流するに従って、基端部１４Ａ側の噴出孔１６から先端部１４Ｂ側の噴出孔１６の順に順次、当該圧縮空気Ｈが噴出される。
【００３０】
制御部は、中央演算処理装置（ＣＰＵ）、メモリ、記憶部等（図示せず）からなり、当該ＣＰＵにより所定のプログラムを実行して情報を処理することができる公知の情報処理手段で構成され、集塵装置Ｂの運転を制御することができるように構成されている。
【００３１】
圧力差検出部は公知の圧力検出手段からなり、含塵空気導入路７に設けられ、筒状フィルタ５の外側（含塵空気導入室２側）の圧力を検出する第１圧力検出部（図示せず）と、浄化空気排出路８に設けられ、筒状フィルタ５の内側（浄化空気室３側）の圧力を検出する第２圧力検出部（図示せず）とを備え、これら第１圧力検出部及び第２圧力検出部からの検出圧力に基づいて、筒状フィルタ５の内外差圧を検出することができるように構成されている。検出された筒状フィルタ５の内外差圧は、制御部に出力するように構成されている。
また、圧力差検出部は、筒状フィルタ５の内側（内部）の圧力を検出する第３圧力検出部（図示せず）を備え、第１圧力検出部及び第３圧力検出部からの検出圧力の差を、筒状フィルタ５の内外圧力差として測定することができる。また、筒状フィルタ５の外側に塵埃が付着して効率よく塵埃を捕集できない状態となったと判断する基準となる所定の圧力差が、予め設定されている。すなわち、この筒状フィルタ５の内外圧力差は、当該筒状フィルタ５の外側から内側へ通流する含塵空気Ｇの圧力損失であり、それに対し、上記所定の圧力差は筒状フィルタ５の清掃が必要な状態となった場合における圧力損失の値として設定される。なお、所定の圧力差は、制御部に出力し、予め当該制御部の記憶部に記憶可能に構成されている。
なお、浄化空気排出路８には、浄化空気室３から外部空間に排出される浄化空気Ｃの流量を検出する公知の流量検出部（図示せず）が設けられ、検出された流量は、制御部に出力するように構成されている。
【００３２】
次に、本発明に係る集塵装置Ｂの特徴構成について説明する。
本発明に係る集塵装置Ｂにおいては、通流管部１４に形成された噴出孔１６と筒状フィルタ５の開口部５ａとの配置関係に特別な構成が採用されている。以下、具体的に説明する。
【００３３】
図３に示すように、一本の通流管部１４に対応して配置される複数の筒状フィルタ５は、各筒状フィルタ５の筒軸芯Ｘがフィルタ配設方向に直交するように並列して配設されている。フィルタ配設方向において隣接する筒状フィルタ５の筒軸芯Ｘの筒軸芯間距離Ｐは、等間隔となるように設定されている。また、筒状フィルタ５の上端部には開口部５ａが形成されているが、当該開口部５ａの上端が開口面Ｍに沿うように複数の筒状フィルタ５が並列配置されている。筒状フィルタ５の開口部５ａの開口面Ｍと各筒状フィルタ５の筒軸芯Ｘとの交点が、各開口部５ａの中心点である開口部中心位置Ｋとなっている。
【００３４】
一方で、一本の通流管部１４に形成される複数の噴出孔１６は、各筒状フィルタ５の上部にそれぞれ位置するように配設され、各噴出孔１６の軸芯Ｙがフィルタ配設方向に直交するように並列して配設されている。フィルタ配設方向において隣接する噴出孔１６の軸芯Ｙの軸芯間距離Ｑは、等間隔となるように設定されている。筒状フィルタ５の開口部５ａの開口面Ｍと各噴出孔１６の軸芯Ｙとの交点（到達点）が、各噴出孔１６の噴出孔軸芯到達位置Ｅとなっている。
さらに、各噴出孔１６のフィルタ配設方向における配設位置は、各筒状フィルタ５の筒軸芯Ｘ（開口部中心位置Ｋ）に対して、各噴出孔１６の軸芯Ｙ（噴出孔軸芯到達位置Ｅ）を基端部１４Ａ側に変位させる変位量ΔＰｉが、基端部１４Ａ側に近いほど大きくなる位置に設定されている。
すなわち、変位量ΔＰｉが、ΔＰｉ＝（ｉ−１）×Ａ／（Ｎ−１）を満たすように、各噴出孔１６を配置する。
【００３５】
具体的に説明すると、通流管部１４の先端部１４Ｂ側から基端部１４Ａ側へ向かう順に噴出孔１６及び筒状フィルタ５の開口部５ａの位置に応じた順位ｉを設定し、最も先端部１４Ｂ側にある噴出孔１６及び筒状フィルタ５を１番目とし、基端部１４Ａ側に至るに連れて順位ｉが増加するように設定する。従って、先端部１４Ｂ側から順位ｉ（ｉ番目）の噴出孔１６及び開口部５ａの変位量がΔＰｉとなる。なお、本実施形態では、最も基端部１４Ａ側にある噴出孔１６及び筒状フィルタ５の開口部５ａは１６番目となる。
【００３６】
さらに、フィルタ配設方向に配置された複数の筒状フィルタ５の数をＮ、図６に示すように、最も基端部１４Ａ側の開口部５ａ及び噴出孔１６において軸芯Ｙ（噴出孔軸芯到達位置Ｅ）を筒軸芯Ｘ（開口部中心位置Ｋ）に一致させた場合（従来の集塵装置における噴出孔と筒状フィルタの開口部との配設位置の場合）に、当該噴出孔１６から噴出された圧縮空気Ｈが当該開口部５ａを含む開口面Ｍに到達する到達点Ｓ（本実施形態では、フィルタ配設方向において、最も先端部１４Ｂ側に到達した箇所）の当該開口部中心位置Ｋに対する先端部１４Ｂ側へのずれ量をＡとする。このずれ量Ａは、噴出孔１６から噴出される圧縮空気Ｈの速度ベクトルのうち先端部１４Ｂ側へ向かう速度成分を代表するものであるので、このずれ量Ａを用いることで、当該速度成分によって圧縮空気Ｈが筒状フィルタ５の開口面Ｍに到達する到達点が、当該筒状フィルタ５の開口部中心位置Ｋから先端部１４Ｂ側へずれるずれ量を相殺するように、変位量ΔＰｉを設定することができる。よって、所定の条件（圧力、速度、量等）で噴出孔１６から噴出される圧縮空気Ｈに対応した変位量ΔＰｉを設定することができる。なお、ずれ量Ａとしては、予め計測しておいたずれ量を用いてもよいし、経験的に判明しているずれ量を用いてもよいが、例えば、このずれ量Ａは、筒状フィルタ５の直径Ｄ等、適当な大きさに設定しても構わない。
【００３７】
従って、本実施形態では、変位量ΔＰｉは、先端部１４Ｂ側から基端部１４Ａ側に向かう順に、１番目から１６番目の各噴出孔１６に対応して、ΔＰ１、ΔＰ２、ΔＰ３、・・・、ΔＰ１５、ΔＰ１６となり、ΔＰ１＝０、ΔＰ２＝（Ａ／１５）、ΔＰ３＝（２Ａ／１５）、・・・、ΔＰ１５＝（１４Ａ／１５）、ΔＰ１６＝（１５Ａ／１５）となる。すなわち、各噴出孔１６の変位量ΔＰｉは、最も先端部１４Ｂ側の開口部５ａ及び噴出孔１６において噴出孔軸芯到達位置Ｅと開口部中心位置Ｋとが一致した状態で、先端部１４Ｂ側から基端部１４Ａ側へ行くに連れて順次、（Ａ／１５）ずつ増加するように設定されているので、噴出孔１６の配設位置は、基端部１４Ａ側の噴出孔１６ほど変位量ΔＰｉが大きくなる位置に設定されている。しかも、変位量ΔＰｉが大きくなる割合は、上述のとおり、噴出孔１６から噴出される圧縮空気Ｈが有するフィルタ配設方向の先端部１４Ａ側へ向かう速度成分により、当該圧縮空気Ｈが筒状フィルタ５の開口面５ａに到達する位置が、当該筒状フィルタ５の開口部中心位置Ｋより先端部１４Ｂ側にずれてしまう場合であっても、当該先端部１４Ｂ側へのずれ量を相殺するように、筒状フィルタ５の開口部中心位置Ｋに対する噴出孔１６の噴出孔軸芯到達位置Ｅの基端部１４Ａ側への変位量ΔＰｉは適切に設定されている。なお、このように設定される変位量ΔＰｉを用いて、各筒状フィルタ５の開口部５ａ及び各噴出孔１６が配設されることにより、噴出孔軸芯到達位置Ｅの配置間隔である軸芯Ｙの軸芯間距離Ｑは、開口部中心位置Ｋの配置間隔である筒軸芯Ｘの筒軸芯間距離Ｐよりも大きく設定されている。
【００３８】
次に、上記構成を採用した集塵装置Ｂを運転した場合の動作、及び噴出孔１６から噴出される圧縮空気Ｈの噴出状態について、説明する。
集塵装置Ｂの集塵運転において、制御部は、浄化空気排出路８の下流側に接続された吸引装置（図示せず）による吸引を開始させ、含塵空気導入路７の上流側に接続された焼却炉等（図示せず）から含塵空気Ｇを筐体１内の含塵空気導入室２に導入する。これにより、含塵空気Ｇを含塵空気導入室２側から筒状フィルタ５を介して浄化空気室３側に（筒状フィルタ５の外側から内側に）通流させ、当該含塵空気Ｇ中の塵埃を筒状フィルタ５のバグにより捕集して、含塵空気Ｇを浄化して浄化空気Ｃとして処理する。この集塵運転では、捕集された塵埃は、筒状フィルタ５のバグの外側に付着することとなる。制御部は、集塵運転において、圧力差検出部（第１圧力検出部及び第２圧力検出部）から筒状フィルタ５の内側と外側の内外差圧の情報をモニターしている。また、制御部は、集塵運転において、浄化空気排出路８から排出される浄化空気Ｃの流量を流量検出部で検出し、当該検出された流量が所定の流量となるように、吸引装置等（図示せず）を制御する。
これにより、含塵空気Ｇ中の塵埃を筒状フィルタ５により捕集して含塵空気Ｇを良好に浄化して浄化空気Ｃとすることができる。
【００３９】
一方で、この集塵運転が継続されると、筒状フィルタ５の外側に付着する塵埃が増加し、塵埃がバグの外側及び繊維内部に付着する。このような状態では筒状フィルタ５において圧力損失が生じるとともに、効率よく塵埃を捕集することが困難となる。そこで、制御部は、このような塵埃の層が形成されたことを、圧力差検出部（第１圧力検出部及び第２圧力検出部）により検出された筒状フィルタ５の内外差圧が、上記所定の圧力差（予め設定された内外差圧）になったことにより認識し、筒状フィルタ５の清掃が必要であると判定する。なお、所定の圧力差は、例えば、筒状フィルタ５に塵埃の層が形成された状態となり、効率よく塵埃を捕集できない状態となったときの圧力差を予め設定しておき、制御部の記憶部に記憶しておいたものを用いることができる。
このような状態において、集塵運転を行ったままの状態（塵埃を捕集している状態）で、筒状フィルタ５の清掃運転を行う。
【００４０】
清掃運転として、制御部は、圧力調整弁１１の開度を調節して、コンプレッサ（図示せず）からヘッダパイプ１３内に圧縮空気Ｈを貯留し、ヘッダパイプ１３内での圧縮空気Ｈの圧力が２ｋｇ／ｃｍ２程度となるように制御する。
【００４１】
そして、制御部は、各空気開閉弁１２の開閉を制御して、各筒状フィルタ５の内側から外側に通流するように、圧縮空気Ｈをパルス状に噴出させる。この際、各空気開閉弁１２を開状態とする時間は、例えば、０．２秒程度の非常短い時間に設定されるが、圧縮空気Ｈの圧力が２ｋｇ／ｃｍ２程度であるので、圧縮空気Ｈは、非常に高速（音速程度）で空気開閉弁１２を介して通流管部１４内を通流する。
【００４２】
図４及び図５に、上記構成の集塵装置Ｂにおいて、通流管部１４内に圧縮空気Ｈを通流させ、当該圧縮空気Ｈを各噴出孔１６から噴出させた際の噴出状態（速度分布）のシミュレーション結果を示す。なお、図４は、噴出状態を示す側断面視のシミュレーション結果であり、図５は、筒状フィルタ５の上端部（開口部５ａ近傍）における噴出状態を示す横断面視のシミュレーション結果である。また、図４（ａ）及び図５（ａ）は、空気開閉弁１２を開状態としてから０．０２秒後の噴出状態を示すシミュレーション結果、同様に、（ｂ）は、０．０２５秒後の噴出状態を示すシミュレーション結果、（ｃ）は、０．０３秒後の噴出状態を示すシミュレーション結果、（ｄ）は、０．０５秒後の噴出状態を示すシミュレーション結果である。図中、噴出状態は濃淡で示すが、濃部分が速度の比較的速い部分であり、淡部分が比較的速度の遅い部分である。カラーで示す補足図では、赤が速度の速い部分であり、赤、オレンジ、黄、黄緑、緑、青に変化する順に速度が遅い部分として示している。なお、図４及び図５中、速度の単位はｍ／ｓである。
【００４３】
図４（ａ）及び図５（ａ）に示すように、空気開閉弁１２を開状態としてから０．０２秒後には、通流管部１４内を基端部１４Ａ側から先端部１４Ｂ側に圧縮空気Ｈが通流し、順次、基端部１４Ａ側の噴出孔１６から圧縮空気Ｈが噴出している。そして、圧縮空気Ｈは、フィルタ配設方向における先端部１４Ｂ側へ向かう速度成分を含んでいるため、各噴出孔１６の配設された位置から先端部１４Ｂ側に変位した状態で、各噴出孔１６に一対一で対応する各筒状フィルタ５の開口部５ａに到達している。圧縮空気Ｈが、各筒状フィルタ５の開口部５ａに到達した箇所は、フィルタ配設方向において筒状フィルタ５の真上（筒軸芯の真上）近傍となっているため、当該圧縮空気Ｈは各筒状フィルタ５内に何らの障害もなく導入されている。また、図５（ａ）に示すように、筒状フィルタ５内には、比較的速度の速い部分が現れていることが示されており、圧縮空気Ｈが各筒状フィルタ５内に何らの障害もなく導入されていることがわかる。
このような状態は、図４（ｂ）及び図５（ｂ）に示す、０．０２５秒後の噴出状態、図４（ｃ）及び図５（ｃ）に示す、０．０３秒後の圧縮空気Ｈが先端部１４Ｂ側に到達し基端部１４Ａ側に戻る際の噴出状態、図４（ｄ）及び図５（ｄ）に示す、０．０５秒後の噴出状態においても同様であり、各噴出孔１６から噴出された各圧縮空気Ｈ、特に、基端部１４Ａ側の噴出孔１６から噴出された圧縮空気Ｈも、各筒状フィルタ５内に確実に導入されている。
【００４４】
一方、図７及び図８に、比較例として従来の集塵装置において、通流管部１４内に圧縮空気Ｈを通流させ、当該圧縮空気Ｈを各噴出孔１６から噴出させた際の噴出状態（速度分布）のシミュレーション結果を示す。なお、図７は、噴出状態を示す側断面視のシミュレーション結果であり、図８は、筒状フィルタ５の上端部（開口部５ａ近傍）における噴出状態を示す横断面視のシミュレーション結果である。また、図７（ａ）及び図８（ａ）は、空気開閉弁１２を開状態としてから０．０２秒後の噴出状態を示すシミュレーション結果、同様に、（ｂ）は、０．０２５秒後の噴出状態を示すシミュレーション結果、（ｃ）は、０．０３秒後の噴出状態を示すシミュレーション結果、（ｄ）は、０．０５秒後の噴出状態を示すシミュレーション結果である。図中、噴出状態は濃淡で示すが、濃部分が速度の比較的速い部分であり、淡部分が比較的速度の遅い部分である。なお、カラーで示す補足図では、赤が速度の速い部分であり、赤、オレンジ、黄、黄緑、緑、青に変化する順に速度が遅い部分として示している。なお、図７及び図８中、速度の単位はｍ／ｓである。
この従来の集塵装置においては、図６に示すように、各筒状フィルタ５の筒軸芯Ｘと各噴出孔１６の軸芯Ｙとがフィルタ配設方向において同位置に設定されている。
【００４５】
図７（ａ）及び図８（ａ）に示すように、圧縮空気Ｈは、フィルタ配設方向における先端部１４Ｂ側へ向かう速度成分を含んでいるため、各噴出孔１６の配設された位置から先端部１４Ｂ側に変位した状態で、各噴出孔１６に一対一で対応する各筒状フィルタ５の上端に到達している。しかしながら、圧縮空気Ｈが、各筒状フィルタ５の上端に到達した箇所は、フィルタ配設方向において筒状フィルタ５の筒軸芯Ｘよりも先端部１４Ｂ側に変位した位置となっているため、当該圧縮空気Ｈは各筒状フィルタ５の上端部分の開口部周辺に衝突し、筒状フィルタ５内に十分に導入されているとは言い難い。特に、図７（ａ）に示すように、基端部１４Ａ側（図７の右側）の筒状フィルタ５内にはほとんど圧縮空気Ｈが導入されていない状態となっている。このような状態は、図７（ｂ）及び図８（ｂ）に示す、０．０２５秒後の噴出状態、図７（ｃ）及び図８（ｃ）に示す、０．０３秒後の圧縮空気Ｈが先端部１４Ｂ側に到達し基端部１４Ａ側に戻る際の噴出状態、図７（ｄ）及び図８（ｄ）に示す、０．０５秒後の噴出状態においても略同様であるが、特に、基端部１４Ａ側に配置される噴出孔１６から噴出された圧縮空気Ｈは、各筒状フィルタ５内にほとんど導入されていない状態である。
【００４６】
従って、本発明に係る集塵装置Ｂにおいては、上記のように筒状フィルタ５の筒軸芯Ｘ（開口部中心位置Ｋ）と各噴出孔１６の軸芯Ｙ（噴出孔軸芯到達位置Ｅ）との変位量ΔＰｉが適切に設定されているので、各噴出孔１６、特に、基端部１４Ａ側からの噴出孔１６から噴出された圧縮空気Ｈを確実に各筒状フィルタ５内に導入することができる。これにより、清掃運転において、各筒状フィルタ５の内側から外側に圧縮空気Ｈを確実に通流させることができ、当該圧縮空気Ｈにより筒状フィルタ５（特に、基端部１４Ａ側の筒状フィルタ５）の外側に付着した塵埃を確実に払い落とすことが可能となる。
【００４７】
〔別実施形態〕
（１）上記実施形態では、フィルタ配設方向において隣接する筒状フィルタ５の筒軸芯間距離Ｐを、等間隔となるように設定するとともに、フィルタ配設方向において隣接する噴出孔１６の軸芯間距離Ｑを、等間隔となるように設定し、変位量ΔＰｉが、先端部１４Ｂ側から基端部１４Ａ側へ向かうに連れて、（Ａ／（Ｎ−１））ずつ増加するように設定した。しかしながら、変位量ΔＰｉを、基端部１４Ａ側に近いほど大きくなるように適切に設定して、筒状フィルタ５内に噴出孔１６から噴出される圧縮空気Ｈを確実に導入することができる構成であれば、特に制限なく採用することができる。
例えば、フィルタ配設方向において隣接する筒状フィルタ５の筒軸芯間距離Ｐ及びフィルタ配設方向において隣接する噴出孔１６の軸芯間距離Ｑの何れか一方或いは両方を、不等間隔となるように設定した状態で、変位量ΔＰｉを、基端部１４Ａ側に近いほど大きくなるように設定することもできる。
【００４８】
（２）上記実施形態では、変位量ΔＰｉを、ΔＰｉ＝（ｉ−１）×Ａ／（Ｎ−１）を満たすように、各噴出孔１６や各筒状フィルタ５を配設したが、噴出孔１６から噴出される圧縮空気Ｈの大部分が筒状フィルタ５内に導入される構成で十分な場合には、特にこの構成に限定されるものではない。例えば、ΔＰｉ＝（ｉ−１）×Ａ／（Ｎ−１）±Ｒ  且つ、  ０≦Ｒ≦（Ｄ／２）の関係を満たすように、開口部５ａ及び噴出孔１６の夫々を配置する構成を採用することもできる。なお、Ｄは、筒状フィルタ５の直径（内径）である。この場合、各噴出孔１６や各筒状フィルタ５の配設位置を、フィルタ配設方向において変位量ΔＰｉ＝（ｉ−１）×Ａ／（Ｎ−１）を基準として、筒状フィルタ５の半径Ｒ（±Ｄ／２）だけずれた範囲内に収まるように設定できるので、変位量ΔＰｉにある程度自由度をもたせながらも、噴出される圧縮空気Ｈを筒状フィルタ５内に確実に導入する構成とすることができる。
【００４９】
（３）上記実施形態では、筒状フィルタ５の筒軸芯Ｘがフィルタ配設方向に対して直交し、噴出孔１６の軸芯Ｙがフィルタ配設方向に対して直交する場合について説明したが、筒軸芯Ｘや軸芯Ｙがフィルタ配設方向に対して傾斜している場合であっても、変位量ΔＰｉを基端部１４Ａ側に近いほど大きくなるように設定することで、筒状フィルタ５内に噴出孔１６から噴出される圧縮空気Ｈを確実に導入することができる構成であれば、特に制限なく採用することができる。
例えば、噴出孔１６を通流管部１４に設ける際に、フィルタ配設方向の先端部１４Ｂ側に傾斜した状態で貫通形成され、噴出孔１６の軸芯Ｙが先端部１４Ｂ側に傾斜している場合や、筒状フィルタ５を区画壁４に配設する際に、フィルタ配設方向に先端部１４Ｂ側に傾斜した状態で設けられ、筒状フィルタ５の筒軸芯Ｘが先端部１４Ｂ側に傾斜している場合等であっても、本発明を良好に適用することができる。
【００５０】
（４）上記実施形態では、集塵運転を行ったままの状態（塵埃を捕集している状態）で、筒状フィルタ５の清掃運転を行う、いわゆるパルス式の集塵装置Ｂについて説明したが、特にこの構成に限定されるものではなく、例えば、集塵運転を停止した後、清掃運転を実行する逆洗式の集塵装置に、本発明を適用することもできる。
【００５１】
（５）上記実施形態では、変位量ΔＰｉを基端部１４Ａ側に近いほど大きくなるように設定する構成において、最も先端部１４Ｂ側にある開口部５ａ及び噴出孔１６を１番目（ｉ＝１）として採用する例を示した。しかしながら、１番目（ｉ＝１）として採用する開口部５ａ及び噴出孔１６としては、最も先端部１４Ｂ側にある開口部５ａ及び噴出孔１６（１番目の開口部５ａ及び噴出孔１６）ではなく、当該開口部５ａ及び噴出孔１６よりも基端部１４Ａ側に位置する開口部５ａ及び噴出孔１６を採用してもよい。例えば、１番目（ｉ＝１）として採用する開口部５ａ及び噴出孔１６として、最も先端部１４Ｂ側の開口部５ａ及び噴出孔１６から数えた場合に２番目となる開口部５ａ及び噴出孔１６や、３番目となる開口部５ａ及び噴出孔１６等とすることができる。これにより、先端部１４Ｂ側の噴出孔１６から噴出された圧縮空気Ｈが、対向する筒状フィルタ５内に適切に導入されている場合には、当該噴出孔１６に関しては変位量ΔＰｉを設定する必要がなくなり、装置構成の改変をより少なくしながら、圧縮空気Ｈを筒状フィルタ５内に、より確実に導入することができる。
【００５２】
（６）上記実施形態では、変位量ΔＰｉを先端部１４Ｂ側から基端部１４Ａ側に一定の割合で増加させたが、当該変位量ΔＰｉが、基端部１４Ａ側の噴出孔１６ほど大きくなる位置に設定されていれば、特にこの構成に限定されるものではない。例えば、複数の噴出孔１６のうち、各噴出孔１６に対してフィルタ配設方向の先端部１４Ｂ側へ向かう速度成分を考慮し、各別に変位量を設定するように構成してもよい。また、複数の噴出孔１６を複数のグループに区分し、グループ内の噴出孔１６の変位量は同じにしながら、グループ毎の変位量が、基端部１４Ａ側のグループの噴出孔１６ほど大きくなるように設定することもできる。
【００５３】
（７）上記実施形態では、コンプレッサ等からの圧力空気を貯留するヘッダパイプ１３を圧縮空気源とする構成について説明したが、この構成に限定されるものではなく、ヘッダパイプ１３を省略し、コンプレッサ等を圧縮空気源とする構成を採用して、当該圧縮空気源から開閉弁を介して、直接、通流管部１４に圧縮空気Ｈを供給する構成としてもよい。
【産業上の利用可能性】
【００５４】
以上説明したように、装置構成が簡単で製造コストの低減を図ることができながら、噴出孔から噴出される圧縮空気を確実に筒状フィルタ内に導入して、筒状フィルタに付着した塵埃をより効率よく清掃することができる集塵装置を提供することができた。
【符号の説明】
【００５５】
１      筐体
２      含塵空気導入室
３      浄化空気室
４      区画壁
５      筒状フィルタ（フィルタ機構）
５ａ    開口部
６      噴出機構
１２    空気開閉弁（開閉弁）
１３    ヘッダパイプ（圧縮空気源）
１４    通流管部（噴出機構）
１４Ａ  基端部
１４Ｂ  先端部
１６    噴出孔（噴出機構）
Ｂ      集塵装置
Ｈ      圧縮空気
Ｘ      筒状フィルタの筒軸芯
Ｙ      噴出孔の軸芯
Ｍ      開口面
Ｋ      開口部中心位置
Ｅ      噴出孔軸芯到達位置
Ｎ      筒状フィルタの数
Ｄ      筒状フィルタの直径
Ａ      最も基端部側の開口部及び噴出孔において噴出孔軸芯到達位置を開口部中心位置に一致させた場合に、当該噴出孔から噴出された圧縮空気が当該開口部を含む開口面に到達する到達点の当該開口部中心位置に対する先端部側へのずれ量
ｉ      先端部側に位置する特定の開口部及び噴出孔から基端部側に位置する開口部及び噴出孔を順序付けする場合の任意の順位
ΔＰｉ  変位量
【図１】
2011255362.tif 000003
【図２】
2011255362.tif 000004
【図３】
2011255362.tif 000005
【図６】
2011255362.tif 000006
【図４】
2011255362.tif 000007
【図５】
2011255362.tif 000008
【図７】
2011255362.tif 000009
【図８】
2011255362.tif 000010